(57)【要約】【課題】建物の出隅部にコーナー庇を設ける必要がない庇を提供する。【解決手段】庇１は、建物の出隅部１０ａを介して連続する第１、第２の各壁面１１，１２に沿って一連に設けられ、第１の壁面１１に水平に固定される保持枠材２と、保持枠材２の前面に基端部が保持されることにより第１の壁面１１より張り出すように設けられる第１の庇板３と、第１の庇板３の出隅部１０ａの側の側端縁に連設される第２の庇板４とを備える。第１、第２の各庇板３，４は、側端面を互いに突き合わせかつ係合させて先端部が一直線上に揃うように幅方向へ連結される複数の帯状の板材５，６によりそれぞれ構成される。第２の庇板４を構成する各板材６の基端部の側を第２の壁面１２に沿って同じ長さだけ延出させることにより第２の庇板４が第２の壁面１２より張り出すように構成されている。【選択図】図２
2015028248.tif 000002
【特許請求の範囲】
【請求項１】
建物の出隅部を介して連続する第１、第２の各壁面に沿って一連に設けられる庇であって、前記第１の壁面に水平に固定される保持枠材と、前記保持枠材の前面に基端部が保持されることにより第１の壁面より張り出すように設けられる第１の庇板と、第１の庇板の出隅部の側の側端縁に連設される第２の庇板とを備え、第１、第２の各庇板は、側端面を互いに突き合わせかつ係合させて先端部が一直線上に揃うように幅方向へ連結される複数の帯状の板材によりそれぞれ構成されており、第２の庇板を構成する各板材の基端部の側を第２の壁面に沿って同じ長さだけ延出させることにより第２の庇板が第２の壁面より張り出すように構成されて成る庇。
【請求項２】
前記第２の庇板を構成する各板材の基端部は、前記第２の壁面と入隅部を介して連続する第３の壁面の位置まで達しており、その第３の壁面に水平に固定された保持枠材により第２の庇板の基端部が保持されている請求項１に記載された庇。
【請求項３】
前記第２の庇板を構成する各板材の基端部には縁枠材が一連に装着されており、第２の庇板はアームにより前記第２の壁面に支持されている請求項１に記載された庇。
【請求項４】
前記第１の庇板を構成する各板材は、全長にわたって均一幅に形成されており、出隅部の側の端部に位置する板材の側端縁に第２の庇板を構成する出隅部の側の端部に位置する板材の側端縁が連結されている請求項１に記載された庇。
【請求項５】
請求項４に記載された庇であって、第２の庇板の出隅部の側の端部に位置する板材上には、雨水の浸入を防止するためのカバー体が第２の壁面に沿って設けられている庇。
【請求項６】
前記第１の庇板を構成する各板材は、出隅部の側の端部に位置する板材を除き、全長にわたって均一幅に形成されており、出隅部の側の端部に位置する板材の出隅部よりはみ出した側端部を第２の壁面に沿って第２の庇板を構成する板材と同じ長さだけ延出させるとともに、その延出部分を有する板材の側端縁に第２の庇板を構成する出隅部の側の端部に位置する板材の側端縁が連結されている請求項１に記載された庇。
【請求項７】
請求項６に記載された庇であって、第１の庇板の出隅部の側の端部に位置する板材の前記延出部分上には、雨水の浸入を防止するためのカバー体が第２の壁面に沿って設けられている庇。
【発明の詳細な説明】
【技術分野】
【０００１】
この発明は、建物の壁面より前方へ張り出すように設けられる庇に関し、この発明は特に、建物の出隅部を介して連続する左右の壁面に沿って一連に設けられる庇に関する。
【背景技術】
【０００２】
従来の典型的な庇は、建物の壁面より庇板が前方へ張り出すように設けられるもので、前記庇板の基端部が建物の壁面に固定された保持枠材に全幅にわたって保持されている。庇板として、全体が一枚のもののほかに、複数の板材を連結して構成されたものもある。特に近年、複数の帯状の板材を、側端面を互いに突き合わせかつ係合させて庇の幅方向へ連結させた構造のものが用いられている。
【０００３】
この種の庇を、図１０に示すような、建物の出隅部１０を介して連続する左右の各壁面１１，１２に一連に設ける場合、それぞれの壁面１１，１２に複数の板材２００を幅方向に連結した構造の第１、第２の各庇板２０１，２０２を設けるとともに、第１、第２の庇板２０１，２０２間にコーナー庇２０３を介在させている（例えば、特許文献１参照）。このコーナー庇２０３は、出隅部１０に固定される取付部材２０４と、取付部材２０４に一端部が支持され出隅部１０がなす角を２等分する線に沿って外方へ延びるアーム部材２０５と、第１の庇板２０１の出隅部１０の側の側端部とアーム部材２０５との間および第２の庇板２０２の出隅部１０の側の側端部とアーム部材２０５との間にそれぞれ設置されるコーナー庇パネル２０６，２０７とから成るもので、各コーナー庇パネル２０６，２０７は、長さが段階的に異なる複数のコーナー中間材２０８を連結して構成されている。
【先行技術文献】
【特許文献】
【０００４】
【特許文献１】特開２０１２−２４１３１６号公報
【発明の概要】
【発明が解決しようとする課題】
【０００５】
しかしながら、上記した構成の庇では、出隅部１０にコーナー庇２０３を介在させるため、庇の構造が複雑化し、コーナー庇２０３の製作および組立に手数がかかり、コスト高を招くおそれがある。また、コーナー庇２０３を構成する部品の点数が多く、部品管理が煩雑となるだけでなく、コーナー庇２０３を構成するアーム部材２０５が上下各面に現れるなどして、見栄えの低下を招くという問題もある。
【０００６】
この発明は、上記した問題に着目してなされたもので、建物の出隅部にコーナー庇を設ける必要がなく、構造の簡易化とコストの低減、さらには見栄えの向上を実現した庇を提供することを目的とする。
【課題を解決するための手段】
【０００７】
この発明による庇は、建物の出隅部を介して連続する第１、第２の各壁面に沿って一連に設けられるものであり、前記第１の壁面に水平に固定される保持枠材と、前記保持枠材の前面に基端部が保持されることにより第１の壁面より張り出すように設けられる第１の庇板と、第１の庇板の出隅部の側の側端縁に連設される第２の庇板とを備えている。第１、第２の各庇板は、側端面を互いに突き合わせかつ係合させて先端部が一直線上に揃うように幅方向へ連結される複数の帯状の板材によりそれぞれ構成されている。第２の庇板を構成する各板材の基端部の側を第２の壁面に沿って同じ長さだけ延出させることにより第２の庇板が第２の壁面より張り出すように構成されている。
【０００８】
上記した構成の庇においては、第１の庇板が第１の壁面より前方へ張り出し、第２の庇板が第２の壁面より前方へ張り出す。第２の庇板を構成する板材は第１の庇板を構成する板材に幅方向へ連結されているので、建物の出隅部を介して連続する第１、第２の各壁面に沿って第１、第２の庇板が一連に設けられることになる。
【０００９】
この発明の好ましい実施態様においては、前記第２の庇板を構成する各板材の基端部は、前記第２の壁面と入隅部を介して連続する第３の壁面の位置まで達しており、その第３の壁面に水平に固定された保持枠材により第２の庇板の基端部が保持されている。
この実施態様によると、第２の庇板の基端部が第３の壁面に固定された保持部材により保持されるので、第２の庇板の強度が高められる。
【００１０】
この発明の好ましい他の実施態様においては、前記第２の庇板を構成する各板材の基端部には縁枠材が一連に装着されており、第２の庇板はアームにより前記第２の壁面に支持されている。
この実施態様によると、第２の庇板はアームにより第２の壁面に支持されるので、第２の庇板の強度が高められる。
【００１１】
この発明のひとつの実施態様においては、前記第１の庇板を構成する各板材は、全長にわたって均一幅に形成されており、出隅部の側の端部に位置する板材の側端縁に第２の庇板を構成する出隅部の側の端部に位置する板材の側端縁が連結されている。
この実施態様では、第２の庇板の出隅部の側の端部に位置する板材が第２の壁面に沿って位置する。
【００１２】
好ましい実施態様の庇では、第２の庇板の出隅部の側の端部に位置する板材上に、雨水の浸入を防止するためのカバー体が第２の壁面に沿って設けられている。
この実施態様によると、第２の庇板の出隅部の側の端部に位置する板材と第２の壁面との間に隙間が生じても、カバー体によってその隙間からの雨水の浸入が防止される。
【００１３】
この発明の他の実施態様においては、前記第１の庇板を構成する各板材は、出隅部の側の端部に位置する板材を除き、全長にわたって均一幅に形成されており、出隅部の側の端部に位置する板材の出隅部よりはみ出した側端部を第２の壁面に沿って第２の庇板を構成する板材と同じ長さだけ延出させるとともに、その延出部分を有する板材の側端縁に第２の庇板を構成する出隅部の側の端部に位置する板材の側端縁が連結されている。
この実施態様においては、第１の庇板の出隅部の側の端部に位置する板材の前記延出部分が第２の壁面に沿って位置する。
【００１４】
好ましい実施態様の庇では、第１の庇板の出隅部の側の端部に位置する板材の前記延出部分上に、雨水の浸入を防止するためのカバー体が第２の壁面に沿って設けられている。
この実施態様によると、第１の庇板の出隅部の側の端部に位置する板材の前記延出部分と第２の壁面との間に隙間が生じても、カバー体によってその隙間からの雨水の浸入が防止される。
【発明の効果】
【００１５】
この発明によると、建物の出隅部を介して連続する第１、第２の各壁面に沿って庇板を一連に設けるのに、建物の出隅部に設置するためのコーナー庇を設ける必要がないから、構造の簡易化とコストの低減をはかることができ、出隅部分の庇の見栄えが大幅に向上する。
【図面の簡単な説明】
【００１６】
【図１】この発明の一実施例の庇の施工例を示す斜視図である。
【図２】図１の庇の平面図である。
【図３】第１、第２の各庇板の構成を示す正面図である。
【図４】図２のＡ−Ａ線に沿う断面図である。
【図５】図２のＢ−Ｂ線に沿う断面図である。
【図６】この発明の他の実施例を示す平面図である。
【図７】この発明のさらに他の実施例を示す平面図である。
【図８】図７の実施例において第１の庇板を構成する出隅部の側の端部に位置する板材を示す平面図である。
【図９】図７のＣ−Ｃ線に沿う断面図である。
【図１０】出隅部分に設けられる従来の庇を示す平面図である。
【発明を実施するための形態】
【００１７】
図１は、この発明の一実施例である庇の施工例を示しており、建物の２階のベランダ部分にこの発明に係る庇１が設けられている。同図中、１４は２階部分の第１〜第３の壁面１１〜１３を囲うように設けられたベランダの手すりであり、第１の壁面１１には２個の窓１５，１６が、第２の壁面１２には出入口１７が、それぞれ設けられている。第１の壁面１１と第２の壁面１２とは直角をなし各壁面１１，１２間に出隅部１０ａが構成されている。また、第２の壁面１２と第３の壁面１３とは直角をなし、各壁面１２，１３間に入隅部１０ｂが構成されている。出隅部１０ａおよび入隅部１０ｂを介して連続する第１〜第３の各壁面１１〜１３に沿ってこの発明に係る庇１が一連に設けられている。
【００１８】
この実施例の庇１は、図２に示すように、第１の壁面１１の前記窓１５，１６の上方の所定の高さ位置に一端部が出隅部１０ａに位置するように水平に固定されている金属製の保持枠材２と、保持枠材２の前面に基端部が全幅にわたって保持されることにより第１の壁面１１より張り出すように設けられる第１の庇板３と、第１の庇板３の出隅部１０ａの側の側端縁に連設される第２の庇板４とを備えている。
【００１９】
第１の庇板３は、側端面を互いに突き合わせかつ係合させて幅方向へ連結される複数本の帯状の板材５および側板材５０により構成されている。また、第２の庇板４も、同様に、側端面を互いに突き合わせかつ係合させて幅方向へ連結される複数本の帯状の板材６および側板材６０により構成されている。各板材５，６および側板材５０，６０はアルミニウムの押出成形品である。第１の庇板３を構成する各板材５はそれぞれ同一の長さであって、全長にわたって均一幅に形成されている。また、第２の庇板４を構成する各板材もそれぞれ同一長さであって、全長にわたって均一幅に形成されている。
【００２０】
第２の庇板４を構成する出隅部１０ａの側の端部に位置する板材６ａの側端縁は第１の庇板３の出隅部１０ａの側の端部に位置する板材５ａの側端縁に連結されている。第１の庇板３を構成する板材５および側板材５０の先端縁と第２の庇板４を構成する板材６および側板材６０の先端縁とは一直線上に揃い、その揃った先端縁に縁枠材１１０が一連に装着されている。
【００２１】
第２の庇板４を構成する各板材６および側板材６０は、第１の庇板３を構成する各板材５および側板材５０より長く、その基端部の側は第２の壁面１２に沿って一定の同じ長さだけ（この実施例では第２の壁面１２の幅だけ）延出させており、これにより第２の庇板４が第２の壁面１２より張り出すように構成されている。第２の庇板４を構成する各板材６および側板材６０の基端部は第３の壁面１３の位置まで達しており、その第３の壁面１３に水平に固定された金属製の保持枠材２０により第２の庇板４の基端部が全幅にわたって保持されている。
【００２２】
第１、第２の各庇板３，４を構成する各板材５，６は、図３に示すように、一方の側端面に第１の係合部５１，６１を、他方の側端面に第２の係合部５２，６２を、それぞれ備えている。各板材５，６の第１の係合部５１，６１は他の板材５，６の第２の係合部５２，６２と係脱が可能である。各板材５，６の第２の係合部５２，６２は他の板材５，６の第１の係合部５１，６１と係脱が可能である。各板材５，６の内部には、補強のためのリブ５３，６３と、縁枠材１１０を庇板３，４の先端面にネジ止めするためのネジ止め孔５４，６４とが設けられている。
なお、図中、５０，６０は外側端に位置する板材に連結される側板材であり、一方の側端面に第１の係合部５１，６１または第２の係合部５２，６２のいずれかを備えている。
【００２３】
前記保持枠材２は第１の庇板３の基端部の全幅に相当する長さを有しており、この保持枠材２の前面に、図４に示すように、第１の庇板３を構成する全ての板材５および側板材５０の基端部が複数個の固定枠片７によって所定個数づつ（図示例では１個づつ）固定されている。第１の庇板３の固定された基端部には上方および下方から上カバー８と下カバー８０とが被せられ、保持枠材２の前面や固定枠片７が外部から見えないようになっている。
【００２４】
保持枠材２は、背板部２１の前面に背板部２１と直角をなす支持板部２２が一体形成されたものである。背板部２１は第１の壁面１１にアンカーボルト１００により止め固定される。支持板部２２は第１の庇板３の基端部の下面を支持する。第１の庇板３の基端部は、この支持板部２２と、背板部２１の前面に固定される固定枠片７との間で保持される。
【００２５】
背板部２１の上端部には上カバー８の一端縁を係合させる係合突部２３が、下端部には下カバー８０の一端縁を係合させる第１の係合溝２４が、それぞれ全幅にわたり形成されている。また、支持板部２２の先端縁には下カバー８０の他端縁を係合させる第２の係合溝２５が全幅にわたり形成されている。背板部２１の下部位置にはアンカーボルト１００が挿入されるボルト挿通孔２９が一定間隔毎に設けられている。背板部２１の上部位置と支持板部２２とには、各固定枠片７の取付位置に合わせてボルト挿通孔２７，２８が形成されている。
【００２６】
各固定枠片７はＬ字状に屈曲された形状のものであり、Ｌ字の垂直部７１に保持枠材２のボルト挿通孔２７に連通するボルト挿通孔７３が、Ｌ字の水平部７２に保持枠材２のボルト挿通孔２８と対向位置するボルト挿通孔７４が、それぞれ形成されている。ボルト挿通孔７３には固定枠片７を固定するためのボルト１０１が挿入され、ボルト挿通孔７４には第１の庇板３を構成する各板材を固定するためのボルト１０２が挿入される。ボルト１０２は、各板材５または側板材５０の基端部に形成されたボルト挿通孔２６と保持枠材２の支持板部２２に形成されたボルト挿通孔２８を貫通し、ボルト１０２の先端部にナット１０３がネジ止めされる。
【００２７】
なお、図４において、１０４は上カバー８の上端縁と第１の壁面１１との間に嵌め込まれるコーキング材、１０５は上カバー８の下端縁と第１の庇板３の上面との間に嵌め込まれるコーキング材であり、これらのコーキング材１０４，１０５によって雨水の浸入が阻止される。
【００２８】
また、第２の庇板４の基端部を保持する保持枠材２０は、上記した保持枠材２と同様の構成のものであり、上方および下方から上カバー８１および下カバー（図示せず）が被せられている。なお、保持枠材２，２０は、各庇板３，４の基端部を全幅にわたって保持できる構造のものであれば、この実施例のものに限られるものではない。
【００２９】
第２の庇板４の出隅部１０ａの側の端部に位置する板材６ａ上には、雨水の浸入を防止するためのカバー体９が第２の壁面１２に沿って設けられている。この実施例のカバー体９は、図５に示すように、背板部９０の前面に背板部９０と直角をなす支持板部９１が一体形成された支持金具９２によって長さ中央部が支持されている。カバー体９の一端部は第１の庇板３の基端部を保持する保持枠材２に支持された上カバー８の端部に、また、他端部は第２の庇板４の基端部を保持する保持枠材２０に支持された上カバー８１の端部に、それぞれ重ねられて図示しない接続金具により一体に接続されている。
【００３０】
前記支持金具９２は、背板部９０が第２の壁面１２にアンカーボルト９４により止め固定されており、第２の庇板４の第２の壁面１２に沿う板材６ａの側端部は前記支持板部９１の下面に当接している。背板部９０の上端部にはカバー体９の上端縁を係合させる係合突部９３が全幅にわたり形成されており、カバー体９の上端縁と第２の壁面１２との間にはコーキング材９６が嵌め込まれている。カバー体９の下端縁は第２の庇板４の上面に支持され、カバー体９の下端縁と第２の庇板４の上面との間にコーキング材９７が嵌め込まれている。これらのコーキング材９６，９７によって雨水の浸入が阻止される。
なお、支持金具９２は、第２の壁面１２に沿って複数個取り付けて、カバー体９の複数個所を支持するようにしてもよい。また、支持金具９２はカバー体９の全長を支持するような形態のものであってもよい。
【００３１】
図６は、この発明の他の実施例の庇１を示している。この実施例の庇１は、第２の庇板４を構成する各板材６および側板材６０の基端部の側を第２の壁面１２に沿って同じ長さだけ延出させることにより第２の庇板４が第２の壁面１２より張り出すように構成されるとともに、各板材６および側板材６０の基端部に縁枠材１２０を一連に装着したものである。この実施例の第２の庇板４は、図２に示した第１実施例のように、基端部が保持枠材２０により保持されていないので、第２の庇板４の強度を高めるために、各板材６，６間や板材６と側板材６０との間を接着剤により接着するとともに、第２の庇板４の複数個所を上端が第２の壁面１２に取り付けられたアーム１３０によって上方より吊持している。
なお、図６の実施例における他の構成は、図２に示した実施例と同様であり、ここでは対応する個所に同じ符号を付することで説明を省略する。
【００３２】
図７は、この発明のさらに他の実施例の庇１を示している。この実施例においては、第１の庇板３を構成する各板材５は、出隅部１０ａの側の端部に位置する板材５ａを除き、全長にわたって均一幅であって平面形状が同形状のものが用いられている。出隅部１０ａの側の端部に位置する板材５ａは、出隅部１０ａよりはみ出した側端部を第２の壁面１２に沿って第２の庇板４を構成する板材６と同じ長さだけ延出させるとともに、その延出部分を有する板材５ａの側端縁に第２の庇板４を構成する出隅部１０ａの側の端部に位置する板材６ａの側端縁が連結されている。
【００３３】
図８は、上記した出隅部１０ａの側の端部に位置する板材５ａを示している。同図中、５５は出隅部１０ａよりはみ出すはみ出し部分を、５６はそのはみ出し部分５５を第２の壁面１２に沿って第２の庇板４を構成する板材６と同じ長さだけ延出させた延出部分を、それぞれ示している。
【００３４】
この実施例では、第１の庇板３の出隅部１０ａの側の端部に位置する板材５ａの前記延出部分５６上に雨水の浸入を防止するためのカバー体９が第２の壁面１２に沿って設けられている。このカバー体９は、図９に示すように、背板部９０の前面に背板部９０と直角をなす上下一対の支持板部９１ａ，９１ｂが一体形成された支持金具９２によって長さ中央部が支持されている。カバー体９の一端部は第１の庇板３の基端部を保持する保持枠材２に支持された上カバー８の端部に、また、他端部は第２の庇板４の基端部を保持する保持枠材２０に支持された上カバー８１の端部に、それぞれ重ねられて図示しない接続金具により一体に接続されている。
【００３５】
前記支持金具９２は、背板部９０が第２の壁面１２に２本のアンカーボルト９４，９４により止め固定されている。第１の庇板３の板材５ａの第２の壁面１２に沿う延出部分５６は前記支持板部９１ａ，９１ｂ間に支持されている。
背板部９０の上端部にはカバー体９の上端縁を係合させる係合突部９３が全幅にわたり形成されており、カバー体９の上端縁と第２の壁面１２との間にはコーキング材９６が嵌め込まれている。カバー体９の下端縁は第２の庇板４の上面に支持され、カバー体９の下端縁と第２の庇板４の上面との間にコーキング材９７が嵌め込まれている。これらのコーキング材９６，９７によって雨水の浸入が阻止される。なお、図中、９８は下カバーであり、背板部９０の下端部と下側の支持板部９１ｂの先端部との間に嵌められている。
【００３６】
上記した各実施例の庇１において、第１の庇板３は第１の壁面１１より前方へ張り出し、第２の庇板４は第２の壁面１２より前方へ張り出す。第２の庇板４を構成する板材６は第１の庇板３を構成する板材５に幅方向へ連結されているので、建物の出隅部１０ａを介して連続する第１、第２の各壁面１１，１２に沿って第１、第２の庇板３，４が一連に設けられることになる。
【００３７】
また、図２および図６に示す実施例では、第２の庇板４の出隅部１０ａの側の端部に位置する板材６ａ上に、図７に示す実施例では、第１の庇板３の出隅部１０ａの側の端部に位置する板材５ａの延出部分５６上に、それぞれ雨水の浸入を防止するためのカバー体９が第２の壁面１２に沿って設けられているので、第２の庇板４の出隅部１０ａの側の端部に位置する板材６ａと第２の壁面１２との間や、第１の庇板３の出隅部１０ａの側の端部に位置する板材５ａの延出部分５６と第２の壁面１２との間に隙間が生じても、カバー体９によってその隙間からの雨水の浸入が阻止される。
【符号の説明】
【００３８】
１    庇
２，２０  保持枠材
３    第１の庇板
４    第２の庇板
５，６  板材
９    カバー体
５０，６０  側板材
５６  延出部分
１０ａ  出隅部
１０ｂ  入隅部
１１，１２，１３  壁面
【図１】
2015028248.tif 000003
【図２】
2015028248.tif 000004
【図３】
2015028248.tif 000005
【図４】
2015028248.tif 000006
【図５】
2015028248.tif 000007
【図６】
2015028248.tif 000008
【図７】
2015028248.tif 000009
【図８】
2015028248.tif 000010
【図９】
2015028248.tif 000011
【図１０】
2015028248.tif 000012